(57)【要約】【課題】波長フィルタを増加せずに反射光強度を適切な感度と解像度とで検出する。【解決手段】光源(１８)からの照射光を検出対象物(１６)に集光し、検出対象物(１６)からの光を集光するレンズ素子(１７)と、レンズ素子(１７)を光軸方向に移動するレンズ素子移動部(２９)と、特定波長の光を遮断するフィルタ素子(２３)と、フィルタ素子(２３)を光軸上に有る/無い状態に移動させるフィルタ素子移動部と、レンズ素子(１７)で集光されて遮光部材(２５)の開口を通過した光を検出する光検出部(２６)と、レンズ素子移動部(２９)および上記フィルタ素子移動部の動作を制御する制御部を備え、上記制御部は、上記照射光と同波長の検出対象物(１６)からの光を検出する第２測定モード時に、検出対象物(１６)からの光が遮光部材(２５)の開口にこの開口よりも大きな径で集光させると共に、フィルタ素子(２３)がレンズ素子(１７)の光軸上に無い状態に設定する。【選択図】図３
2014071059.tif 000002
【特許請求の範囲】
【請求項１】
光を出射する光源と、
上記光源から出射された光を検出対象物に向けて集光すると共に、上記光の照射に基づいて上記検出対象物から発せられた光を集光するレンズ素子と、
上記レンズ素子を光軸方向に移動させて上記レンズ素子と上記検査対象物との間の距離を設定するレンズ素子移動部と、
上記レンズ素子によって集光された光のうちの予め設定された特定の波長の光を遮断するフィルタ素子と、
上記フィルタ素子を移動させて、上記フィルタ素子が上記レンズ素子の光軸上に無い状態と有る状態とに切り替え設定するフィルタ素子移動部と、
上記レンズ素子によって集光された光を検出する光検出部と、
上記フィルタ素子と上記光検出部との間に配置されると共に、上記レンズ素子の光軸上に開口を有する遮光部材と、
上記レンズ素子移動部および上記フィルタ素子移動部の動作を制御する制御部と
を備え、
上記光検出部は、上記遮光部材の開口を通過した光を検出するようになっており、
上記制御部は、
上記光源からの光の照射に基づいて上記検出対象物から発せられた上記照射光とは異なる波長の光を上記光検出部によって検出する第１測定モード時には、上記レンズ素子移動部を制御して、上記レンズ素子と上記検査対象物との間の距離を上記検出対象物からの光が上記遮光部材の開口に集光する距離に設定すると共に、上記フィルタ素子移動部を制御して、上記フィルタ素子が上記レンズ素子の光軸上に有る状態に設定する一方、
上記光源からの光の照射に基づいて上記検出対象物から発せられた上記照射光と同じ波長の光を上記光検出部によって検出する第２測定モード時には、上記レンズ素子移動部を制御して、上記レンズ素子と上記検査対象物との間の距離を上記検出対象物からの光が上記遮光部材の開口に上記第１測定モード時よりも大きな径で集光する距離に設定すると共に、上記フィルタ素子移動部を制御して、上記フィルタ素子が上記レンズ素子の光軸上に無い状態に設定する
ことを特徴とする光検出装置。
【請求項２】
請求項１に記載の光検出装置において、
上記フィルタ素子が遮断する上記特定の波長の光は、上記光源からの照射光の波長と同じ波長の光である
ことを特徴とする光検出装置。
【請求項３】
請求項１あるいは請求項２に記載の光検出装置において、
上記レンズ素子は、
上記第１測定モード時に、上記レンズ素子移動部によって、上記レンズ素子と上記検査対象物との間の距離が、上記検出対象物からの光が上記遮光部材の開口に集光する距離に設定された場合には、上記光源からの上記照射光が上記検出対象物の下面に集光される一方、上記第２測定モード時に、上記レンズ素子移動部によって、上記レンズ素子と上記検査対象物との間の距離が、上記検出対象物からの光が上記遮光部材の開口に上記第１測定モード時よりも大きい径で集光する距離に設定された場合には、上記光源からの上記照射光が上記検出対象物の下面よりも上方に集光される
ようになっている
ことを特徴とする光検出装置。
【請求項４】
請求項１から請求項３までの何れか一つに記載の光検出装置において、
上記制御部は、上記レンズ素子移動部を、上記第２測定モード時において、上記レンズ素子と上記検査対象物との間の距離を、予め設定された複数の距離から選択して設定するように制御する
ことを特徴とする光検出装置。
【請求項５】
請求項１から請求項４までの何れか一つに記載の光検出装置において、
上記レンズ素子は、
屈折によって光を集光する中央部分と、この中央部分の周辺に位置して全反射によって光を集光する周辺部分とを含んで構成されており、
上記中央部分の少なくとも一部は上記光源からの照射光を透過させる照射光透過部となっている対物レンズである
ことを特徴とする光検出装置。
【請求項６】
請求項１から請求項５までの何れか一つに記載の光検出装置において、
上記光源と上記レンズ素子との間に配置されて、上記光源からの照射光のスポットサイズを調整するためのスポットサイズ調整レンズ素子と、
上記スポットサイズ調整レンズ素子を光軸方向に移動させて上記スポットサイズを調整するスポットサイズ調整レンズ素子移動部と
を備え、
上記スポットサイズ調整レンズ素子により上記スポットサイズが調整された照射光は、上記レンズ素子における光軸近傍の一部を透過して上記検出対象物に向けて集光されるようになっており、
上記制御部は、上記第２測定モード時には、上記スポットサイズ調整レンズ素子移動部を制御して、上記スポットサイズ調整レンズ素子と上記光源との間の距離を、上記光源からの上記照射光が上記検出対象物の下面に集光するように設定する
ことを特徴とする光検出装置。
【発明の詳細な説明】
【技術分野】
【０００１】
この発明は、光検出装置に関する。
【背景技術】
【０００２】
従来より、生化学分野や分子生物学分野において、蛍光色素を標識物質として利用した蛍光検出システムが広く用いられている。この蛍光検出システムを用いることによって、遺伝子配列,遺伝子の変異・多型解析,タンパク質の分離および同定等の評価を行うことができ、薬等の開発に利用されている。
【０００３】
上述のような蛍光標識を利用した評価方法としては、電気泳動によってタンパク質等の生物学的化合物をゲル内に分布させ、その生物学的化合物の分布を蛍光検出により取得するという方法がよく用いられている。上記電気泳動では、緩衝液等の溶液中に電極を設置しておき、直流電流を流すことによって上記溶液中に電場勾配を生じさせる。このとき、上記溶液中に電荷を有するタンパク質やＤＮＡ(Deoxyribonucleic acid：デオキシリボ核酸)やＲＮＡ(ribo nucleic acid：リボ核酸)がある場合に、プラス電荷を有する分子は陰極に、マイナス電荷を有する分子は陽極に引き寄せられ、生体分子の分離を行うことができる。
【０００４】
上記電気泳動を用いた評価方法の一つである二次元電気泳動は、２種類の電気泳動法を組み合わせることによって、ゲル内に生体分子を二次元的に分布させる評価方法であり、プロテオーム解析を行う上で最も有効な方法であると考えられている。
【０００５】
上記電気泳動の組み合わせとしては、例えば、一次元目としての「個々のタンパク質の等電点の違いを利用する等電点電気泳動」と、二次元目としての「タンパク質の分子量で分離を行うＳＤＳ‐ＰＡＧＥ(ドデシル硫酸ナトリウム‐ポリアクリルアミドゲル電気泳動)」との２種類が主に用いられる。こうして分離された上記生体分子としてのタンパク質に対して、蛍光色素は電気泳動前あるいは電気泳動後に付与される。
【０００６】
さらに、上述のようにして作製された上記生体分子(タンパク質)が二次元的に分布されたゲル支持体に励起光を照射し、発生した蛍光強度を取得して、それに基づいて蛍光分布(タンパク質分布)画像を表示させる画像読取装置が、生化学や分子生物学の分野で広く普及している。
【０００７】
また、上記生体分子の二次元分布を保持する方法としては、上記ゲル内に保持するだけではなく、上記ゲル内にタンパク質を分離させた後に、電気泳動や毛細管現象を利用して上記ゲルからメンブレンに転写させる方法も行われる。その場合には、上記ゲル支持体を用いた画像読取の場合と同様に、上記メンブレンである転写支持体上の蛍光分布を画像読取装置によって画像化することができる。
【０００８】
上述したような生体分子が二次元的に分布されたゲル支持体や転写支持体から生体分子分布画像を読み取る画像読取装置として、特開２００１‐２６８３１８号公報(特許文献１)に開示された画像読み取り装置がある。
【０００９】
この画像読み取り装置においては、中央部に孔が形成された穴開きミラーを光学ユニットに搭載し、蛍光色素によって標識された生体由来物質が分布する二次元方向に移動される画像担体に対して、レーザ励起光源からの上記蛍光色素を励起する波長帯域のレーザ光(励起光)をミラーで上方に反射し、上記穴開きミラーの穴を通過させた後、レンズで集光して照射する。そして、上記画像担体中の蛍光色素が励起されて発せられた蛍光が上記穴開きミラーの上記穴の周囲で反射され、フォトマルチプライヤによって光電変換されて検出される。こうして、対応する画像信号として読み取られる。以下、上記画像担体を二次元方向に移動させながら上記動作を繰り返すことによって、二次元の可視画像(蛍光画像)を得るようにしている。
【００１０】
さらに、焦点深度が深いゲル支持体や転写支持体に担持された蛍光画像を読み取る場合には、上記穴開きミラーと上記フォトマルチプライヤとの間に配置されたフィルタユニットを４７３ｎｍの波長の光をカットして４７３ｎｍよりも波長の長い光を透過させるフィルタに切り替えて、第３のレーザ励起光源から波長が４７３ｎｍのレーザ光を発する。
【００１１】
これに対し、焦点深度が浅いＤＮＡマイクロアレイに担持された蛍光画像を読み取る場合には、６４０ｎｍの波長の光をカットして６４０ｎｍよりも波長の長い光を透過させるフィルタに切り替えて、第１のレーザ励起光源から波長が６４０ｎｍのレーザ光を発するようにしている。
【００１２】
ところで、蛍光計測には、上記標識物質から発せられた蛍光の強度から画像のイメージを取得する蛍光測定モードの他に、上記標識物質からの反射光の強度から画像のイメージを取得する反射光測定モードがある。
【００１３】
上記蛍光測定モードは、例えば、電気泳動によって分離された特定のタンパク質を検出する通常のモードである。この場合には、検出対象のタンパク質と反応して、励起光の波長成分とは異なる波長の蛍光を発する蛍光性を示す試薬を用い、光源からの励起光を照射して発せられる微弱な蛍光を検出することによって行う。この蛍光測定モードでは、励起光と同じ波長の光成分を減光フィルタでカットして、主として上記試薬からの励起光とは異なる波長の微弱な蛍光成分を測定する。
【００１４】
上記反射光測定モードは、光源からの励起光の反射・吸収特性を用いるモードである。この場合には、電気泳動によって分離された検出対象のタンパク質と反応して、励起光と同じ波長の光を発するように検出対象物の反射・吸収特性を変化させる試薬を用いる。言い換えると、試薬を用いて検出対象のタンパク質を染色するのである。そして、試薬と反応させたサンプルに光源からの励起光を照射して、サンプルから反射される光を検出することによって行う。この反射光測定モードでは、主として励起光自体の反射・吸収特性を測定する。
【００１５】
上記反射光測定モードは、上記蛍光測定モードに比べて桁違いに強度が強い光が検出器に入光することから、適切に光を検出するためには光強度を弱める必要がある。また、その場合、測定対象のタンパク質や試薬の種類によって最適な減光率が異なるため、複数枚の減光フィルタを備える必要がある。
【００１６】
したがって、上記特許文献１に開示された従来の画像読み取り装置によって、上記蛍光測定モードと上記反射光測定モードとに対応する場合には、上記焦点深度に応じた枚数の波長フィルタに加えて、上記蛍光測定モードおよび上記反射光測定モード用の波長フィルタが必要になる。
【００１７】
しかしながら、現実的には波長フィルタの搭載枚数には搭載スペース等により限りがあり、波長フィルタの枚数を増やすことが困難であるという問題がある。
【先行技術文献】
【特許文献】
【００１８】
【特許文献１】特開２００１‐２６８３１８号公報
【発明の概要】
【発明が解決しようとする課題】
【００１９】
そこで、この発明の課題は、波長フィルタを増加することなく標識物質からの反射光を含む光の強度を適切な感度および解像度で検出できる光検出装置を提供することにある。
【課題を解決するための手段】
【００２０】
上記課題を解決するため、この発明の光検出装置は、
光を出射する光源と、
上記光源から出射された光を検出対象物に向けて集光すると共に、上記光の照射に基づいて上記検出対象物から発せられた光を集光するレンズ素子と、
上記レンズ素子を光軸方向に移動させて上記レンズ素子と上記検査対象物との間の距離を設定するレンズ素子移動部と、
上記レンズ素子によって集光された光のうちの予め設定された特定の波長の光を遮断するフィルタ素子と、
上記フィルタ素子を移動させて、上記フィルタ素子が上記レンズ素子の光軸上に無い状態と有る状態とに切り替え設定するフィルタ素子移動部と、
上記レンズ素子によって集光された光を検出する光検出部と、
上記フィルタ素子と上記光検出部との間に配置されると共に、上記レンズ素子の光軸上に開口を有する遮光部材と、
上記レンズ素子移動部および上記フィルタ素子移動部の動作を制御する制御部と
を備え、
上記光検出部は、上記遮光部材の開口を通過した光を検出するようになっており、
上記制御部は、
上記光源からの光の照射に基づいて上記検出対象物から発せられた上記照射光とは異なる波長の光を上記光検出部によって検出する第１測定モード時には、上記レンズ素子移動部を制御して、上記レンズ素子と上記検査対象物との間の距離を上記検出対象物からの光が上記遮光部材の開口に集光する距離に設定すると共に、上記フィルタ素子移動部を制御して、上記フィルタ素子が上記レンズ素子の光軸上に有る状態に設定する一方、
上記光源からの光の照射に基づいて上記検出対象物から発せられた上記照射光と同じ波長の光を上記光検出部によって検出する第２測定モード時には、上記レンズ素子移動部を制御して、上記レンズ素子と上記検査対象物との間の距離を上記検出対象物からの光が上記遮光部材の開口に上記第１測定モード時よりも大きな径で集光する距離に設定すると共に、上記フィルタ素子移動部を制御して、上記フィルタ素子が上記レンズ素子の光軸上に無い状態に設定する
ことを特徴としている。
【００２１】
上記構成によれば、光源からの照射光とは異なる波長の光を検出する第１測定モード時には、検出対象物から発せられる光源からの照射光とは異なる波長の光を遮光部材の開口に集光することができ、上記レンズ素子で集光される光の総てが上記遮光部材の開口を通過するようにできる。こうして、光源からの照射光とは異なる波長の微弱な光の検出強度が最大になるようにして、上記光検出部によって効率よく検出することができる。
【００２２】
また、上記光源からの照射光と同じ波長の光を検出する第２測定モード時には、上記検出対象物から発せられる上記照射光と同じ波長の光を上記遮光部材の開口に上記第１測定モード時よりも大きな径で集光することができ、上記レンズ素子で集光される光の一部を上記遮光部材の開口でカットすることができる。こうして、光源からの照射光と同じ波長の光であって、上記第１測定モード時に比較して非常に強い光の検出強度が適切な光量になるようにして、上記光検出部により適切な感度および解像度で検出することができる。
【００２３】
また、１実施の形態の光検出装置では、
上記フィルタ素子が遮断する上記特定の波長の光は、上記光源からの照射光の波長と同じ波長の光である。
【００２４】
この実施の形態によれば、上記フィルタ素子は上記光源からの照射光の波長と同じ波長の光を遮断するので、上記第１測定モード時に、上記フィルタ素子が光軸上に有る状態に設定することによって、上記遮光部材の開口に入射されようとする上記光源からの照射光の波長と同じ波長の迷光を上記フィルタ素子によってカットすることができる。したがって、上記光検出部によってさらに効率よく検出することができる。
【００２５】
また、１実施の形態の光検出装置では、
上記レンズ素子は、
上記第１測定モード時に、上記レンズ素子移動部によって、上記レンズ素子と上記検査対象物との間の距離が、上記検出対象物からの光が上記遮光部材の開口に集光する距離に設定された場合には、上記光源からの上記照射光が上記検出対象物の下面に集光される一方、上記第２測定モード時に、上記レンズ素子移動部によって、上記レンズ素子と上記検査対象物との間の距離が、上記検出対象物からの光が上記遮光部材の開口に上記第１測定モード時よりも大きい径で集光する距離に設定された場合には、上記光源からの上記照射光が上記検出対象物の下面よりも上方に集光される
ようになっている。
【００２６】
この実施の形態によれば、上記第１測定モード時には、上記光源からの上記照射光が上記検出対象物の下面に集光されるので、上記照射光に基づいて上記検出対象物から発せられる光の検出精度を高めることができる。
【００２７】
また、上記第２測定モード時には、上記光源からの上記照射光が上記検出対象物の下面よりも上方に集光されるので、上記レンズ素子の焦点位置が上記検出対象物の下面からずれて、上記検出対象物からの光が上記遮光部材の開口に上記第１測定モード時よりも大きい径で集光することが可能になる。
【００２８】
また、１実施の形態の光検出装置では、
上記制御部は、上記レンズ素子移動部を、上記第２測定モード時において、上記レンズ素子と上記検査対象物との間の距離を、予め設定された複数の距離から選択して設定するように制御する。
【００２９】
この実施の形態によれば、上記第２測定モード時に、上記レンズ素子と上記検査対象物の間の距離を予め設定された複数の距離から選択して設定するので、上記複数の距離を、例えば、予め「上記光検出部への入射光量が最大値(上記遮光部材の開口への集光時の入射光量)の２０％となる距離」,「上記最大値の１０％となる距離」,「上記最大値の５％となる距離」のごとく設定しておけば、上記光検出部への入射光量が最適となる上記レンズ素子と上記検査対象物との間の距離を、簡単に設定することが可能になる。
【００３０】
したがって、上記検査対象物によって異なる最適入射光量に対応することができ、より適切に上記検出対象物からの光を測定することができる。
【００３１】
また、１実施の形態の光検出装置では、
上記レンズ素子は、
屈折によって光を集光する中央部分と、この中央部分の周辺に位置して全反射によって光を集光する周辺部分とを含んで構成されており、
上記中央部分の少なくとも一部は上記光源からの照射光を透過させる照射光透過部となっている対物レンズである。
【００３２】
この実施の形態によれば、上記検出対象物からの光を集光する対物レンズは、屈折によって光を集光する通常の凸レンズに相当する中央部分の外周に、全反射によって光を集光する周辺部分を有している。したがって、通常の凸レンズでは集光できないような大きな放射角度の光をも集めることができ、集光光率を高めて上記検出光学系による感度アップを図ることができる。
【００３３】
このように、上記検出対象物から広い出射角度で放射状に出射された微弱な光を効率よく検出するため、この放射状に出射された光を上記検出対象物の近くに位置する上記対物レンズによって集光し、上記光検出部で検出する。ところが、上記構成の場合には、上記対物レンズと上記検出対象物との距離が適切な値から少しずれただけで焦点位置が大きく変化する特徴がある。そこで、この特徴を用いれば、上記検出対象物からの光を上記遮光部材の開口よりも大きい径で集光して、入光量を制御することが可能になる。
【００３４】
また、１実施の形態の光検出装置では、
上記光源と上記レンズ素子との間に配置されて、上記光源からの照射光のスポットサイズを調整するためのスポットサイズ調整レンズ素子と、
上記スポットサイズ調整レンズ素子を光軸方向に移動させて上記スポットサイズを調整するスポットサイズ調整レンズ素子移動部と
を備え、
上記スポットサイズ調整レンズ素子により上記スポットサイズが調整された照射光は、上記レンズ素子における光軸近傍の一部を透過して上記検出対象物に向けて集光されるようになっており、
上記制御部は、上記第２測定モード時には、上記スポットサイズ調整レンズ素子移動部を制御して、上記スポットサイズ調整レンズ素子と上記光源との間の距離を、上記光源からの上記照射光が上記検出対象物の下面に集光するように設定する。
【００３５】
この実施の形態によれば、上記第２測定モード時に、上記光源からの上記照射光が上記検出対象物の下面に集光されるので、上記照射光に基づいて上記検出対象物から発せられる光の検出精度を高めることができる。
【発明の効果】
【００３６】
以上より明らかなように、この発明の光検出装置は、光源からの照射光とは異なる波長の光を検出する第１測定モード時には、検出対象物からの光を集光するレンズ素子と上記検査対象物との間の距離を、上記検出対象物からの光が上記遮光部材の開口に集光する距離に設定すると共に、上記レンズ素子からの特定波長の光を遮断するフィルタ素子が光軸上に有る状態に設定する。これに対し、上記照射光と同じ波長の光を検出する第２測定モード時には、上記レンズ素子と上記検査対象物との間の距離を、上記検出対象物からの光が上記遮光部材の開口に上記第１測定モード時よりも大きな径で集光する距離に設定すると共に、上記フィルタ素子が光軸上に無い状態に設定するようにしている。
【００３７】
したがって、上記第１測定モード時には、検出対象物から発せられる光源からの照射光とは異なる波長の光を遮光部材の開口に集光することができ、上記レンズ素子で集光される光の総てが上記遮光部材の開口を通過するようにできる。こうして、上記光源からの照射光とは異なる波長の微弱な光の検出強度が最大になるようにして、上記光検出部によって効率よく検出することができる。
【００３８】
また、上記第２測定モード時には、上記検出対象物から発せられる上記照射光と同じ波長の光を上記遮光部材の開口に上記第１測定モード時よりも大きな径で集光することができ、上記レンズ素子で集光される光の一部を上記遮光部材の開口でカットすることができる。こうして、光源からの照射光と同じ波長の光であって、上記第１測定モード時に比較して非常に強い光の検出強度が適切な光量になるようにして、上記光検出部によって適切な感度および解像度で検出することができる。
【図面の簡単な説明】
【００３９】
【図１】この発明の光検出装置における外観図である。
【図２】走査ステージの外観図である。
【図３】図２における走査モジュールの縦断面図である。
【図４】蛍光測定モード時の励起光および蛍光の集光状態を示す図である。
【図５】反射光測定モード時の励起光および反射光の集光状態を示す図である。
【発明を実施するための形態】
【００４０】
以下、この発明を図示の実施の形態により詳細に説明する。
【００４１】
図１は、本実施の形態の光検出装置における外観図である。本光検出装置１は、筺体を成す本体２と、本体２の上面を覆う蓋体３とで、大まかに構成されている。本体２の上面には、ガラスでなるサンプル台４が設けられており、サンプル台４上には例えば蛍光物質あるいは反射吸収物質によって標識された生体由来物質が分布するゲル支持体やメンブレン等の転写支持体(共に図示せず)がサンプル(検出対象物)としてセットされる。但し、以下における本光検出装置の構成の説明は、上記蛍光物質によって標識されたサンプルがセットされた場合を例に挙げて行う。
【００４２】
そして、上記サンプル台４の下側には光学系が配置されており、サンプル台４上にセットされたサンプルに対して、励起光学系によってサンプル台４を通して下方から励起光を照射し、サンプル台４を透過してくる上記サンプルからの蛍光を検出光学系によって検出する。上記検出光学系はＰＣ(Personal computer：パーソナルコンピュータ)５等の外部端末と接続されており、ＰＣ５から測定条件の制御等を行う。さらに、ＰＣ５によって、検出データに基づいてサンプルの蛍光画像を作成し、内蔵する表示画面に上記作成した蛍光画像等を表示する。
【００４３】
すなわち、本実施の形態においては、上記ＰＣ５によって、上記制御部を構成しているのである。
【００４４】
図２は、上記サンプル台４の下部に設置された走査ステージ６の外観図を示す。この走査ステージ６は、基準となる基準台１４上に設置された第１ステージ７と、第１ステージ７の上に載置された第２ステージ８とで構成されている。そして、第２ステージ８の上に走査モジュール９が載置されている。上記蛍光を検出する上記検出光学系は走査モジュール９の中に格納されている。
【００４５】
上記走査ステージ６を構成する第１ステージ７には、第１走査方向に延在すると共に、一定の間隔で互いに対向する２本のガイドレール１０a,１０bが配設されている。また、第２ステージ８は、第１ステージ７のガイドレール１０aによって案内されて上記第１走査方向に往復動する第１ガイド部材１１と、ガイドレール１０bによって案内されて上記第１走査方向に往復動する第２ガイド部材１２とを有している。
【００４６】
上記第２ステージ８を構成する第１ガイド部材１１と第２ガイド部材１２との間には、上記第１走査方向に直交する第２走査方向に延在すると共に、一定の間隔で互いに対向する２本のガイドシャフト１３a,１３bが配設されている。また、走査モジュール９には、ガイドシャフト１３a,１３bが挿通される孔が設けられている。そして、走査モジュール９は、ガイドシャフト１３a,１３bによって案内されて上記第２走査方向に往復動するようになっている。
【００４７】
上記構成を有する走査ステージ６による走査方法は、先ず、上記第２ステージ８の第１ガイド部材１１と第２ガイド部材１２とがガイドレール１０a,１０bによって案内されて上記第１走査方向に移動して、第２ステージ８の第１ステージ７に対する位置決めが行われる。そうした後に、走査モジュール９がガイドシャフト１３a,１３bによって案内されて上記第２走査方向に移動して、走査モジュール９の第２ステージ８に対する位置決めが行われる。以後、上記動作を繰り返すことによって、サンプル１６上を二次元に走査するのである。
【００４８】
また、上記筺体を成す本体２のサンプル台４下部における走査ステージ６よりも更に下側には、第２ステージ８の第１,第２ガイド部材１１,１２を上記第１走査方向に、走査モジュール９を上記第２走査方向に移動させるためのモータ,タイミングベルト,ボールねじ,歯車,制御基板,電源および配線等の走査装置が設置されている。
【００４９】
図３は、上記第２ステージ８の上に載置される走査モジュール９の概略構成を示す縦断面図である。
【００５０】
図３において、上記走査モジュール９の上部には、サンプル台(ガラス)４の近傍に位置して、サンプル台４上にセットされたサンプル１６からの蛍光を集光する上記レンズ素子としての対物レンズ１７を配置している。さらに、対物レンズ１７の光軸と励起光の光源１８の光軸とが直交する位置には、光源１８から出射されて第１レンズ１９およびスポットサイズ調整レンズ２０で集光されたレーザ光等の励起光を対物レンズ１７に入射するように反射させるプリズム２１を配置している。尚、光源１８,第１レンズ１９,スポットサイズ調整レンズ２０,プリズム２１および対物レンズ１７によって励起光学系を構成している。
【００５１】
ここで、上記対物レンズ１７はレンズホルダ２７に格納されており、ステッピングモータ等の駆動部２９によって光軸方向に移動されて、焦点位置を変更可能になっている。また、スポットサイズ調整レンズ２０はレンズホルダ２８に格納されており、駆動部３０によって光軸方向に移動されて、スポットサイズを調整可能になっている。すなわち、本実施の形態においては、駆動部２９によって上記レンズ素子移動部を構成する一方、駆動部３０によって上記スポットサイズ調整レンズ素子移動部を構成するのである。
【００５２】
また、図３において、上記対物レンズ１７の光軸上におけるプリズム２１の下方には、プリズム２１側から順に、対物レンズ１７によって集光されたサンプル１６からの蛍光を平行光に変換する第２レンズ２２、励起光カット用の波長フィルタ２３、波長フィルタ２３を通過した蛍光を集光する第３レンズ２４、および、第３レンズ２４を通過した蛍光の迷光をカットする上記遮光部材としてのピンホール２５が配置されている。さらに、対物レンズ１７の光軸上におけるピンホール２５の下方には、ピンホール２５を通過した蛍光を検出する検出器２６が配置されている。尚、第２レンズ２２,波長フィルタ２３,第３レンズ２４,ピンホール２５および検出器２６によって検出光学系を構成している。
【００５３】
上記構成を有する走査モジュール９では、光源１８から出射された励起光は、第１レンズ１９およびスポットサイズ調整レンズ２０で収束され、次いでプリズム２１によって反射されて、対物レンズ１７およびサンプル台４を通過して、サンプル１６における下面上の一点に集光される。その場合、プリズム２１の長手方向(第１レンズ１９の光軸に直交する方向)の長さは短く、上記長手方向に直交する方向の幅は狭くなっており、光源１８からの照射光(励起光)は対物レンズ１７の光軸付近(照射光透過部)のみを通過するようになっている。
【００５４】
上記蛍光は、サンプル１６における上記励起光が照射された部分から周囲に等方的に出射される。そして、出射された蛍光のうちのガラスで成るサンプル台４を透過して対物レンズ１７に入射した成分が、対物レンズ１７,第２レンズ２２,波長フィルタ２３,第３レンズ２４およびピンホール２５を通過して、検出器２６によって検出される。そして、検出器２６で検出された信号は、内蔵されるＡＤ変換器等によってＡＤ変換等の処理が施された後に、ＰＣ５へ送出される。こうして、サンプル１６上の各測定点での蛍光強度の分布が内部メモリ等に記録される。
【００５５】
ここで、上述したように、上記対物レンズ１７を通過した蛍光は、集束光となって第２レンズ２２の方向に導かれる。そして、第２レンズ２２によって実質的に平行光になるように屈折される。また、第３レンズ２４は蛍光を集光する。また、ピンホール２５は空間的に迷光や検出面以外からの蛍光をカットするために配置される。例えば、サンプル１６の上面で発生した蛍光は、対物レンズ１７の焦点位置からずれているので、対物レンズ１７の後段に続く上記検出光学系によってピンポール２５の位置では広がった光となり、効率よくピンポールを透過することができないのである。尚、励起光カット用の波長フィルタ２３は、例えば回転フォルダ等に配置され、上記フィルタ素子移動部としてのフィルタ切替駆動部(図示せず)によって回転駆動されて、波長フィルタ２３が光軸上にない状態に切替可能になっている。また、励起光の波長に応じて他の波長のフィルタと交換可能になっている。
【００５６】
図３に示すように、上記対物レンズ１７における光軸を含む中央部分は、通常の凸レンズの機能(屈折のみで光を偏向)を有する凸レンズ部３１となっている。そして、サンプル１６から出射された蛍光のうち、放射角度の小さい蛍光は、この凸レンズ部３１の部分を通過して検出器２６に向かって集光される。
【００５７】
上記対物レンズ１７における凸レンズ部３１の周囲は、下方に向かって開いた円錐台形の筒状体３２となっている。そして、サンプル１６から出射された蛍光のうちの、凸レンズ部３１に入りきらないような放射角度の大きい蛍光は、筒状体３２の上端面から筒状体３２内に入射し、筒状体３２の外周面で全反射されて光軸側に偏向され、筒状体３２の下端面から検出器２６に向かって出射される。
【００５８】
以上のごとく、上記サンプル１６から出射された蛍光のうち、凸レンズ部３１に入りきらないような放射角度の大きい蛍光を、筒状体３２の外周面で全反射させることにより、通常の凸レンズでは集光できないような大きな放射角度の光をも集めることができる。そのため、検出器２６の感度アップを図ることができるのである。
【００５９】
ところで、上記構成を有する本光検出装置による光測定には、上記第１測定モードとしての蛍光測定モードと、上記第２測定モードとしての反射光測定モードとがある。上記蛍光測定モードにおいては、光源１８からの励起光の照射に基づいて、上記蛍光物質で標識されたサンプル１６から発せられる上記励起光とは異なる波長の微弱な蛍光を検出する。また、上記反射光測定モードにおいては、光源１８からの励起光の照射に基づいて、上記反射吸収物質で標識されたサンプル１６から発せられる上記励起光と同じ波長の強い強度の光(反射光)を検出する。
【００６０】
上記蛍光測定モード時には、走査モジュール９の光源１８から出射された励起光は、第１レンズ１９およびスポットサイズ調整レンズ２０で収束され、次いでプリズム２１によって反射されて、対物レンズ１７およびサンプル台４を通過して、サンプル１６における下面上の一点に集光される。
【００６１】
上記サンプル１６における上記励起光が照射された部分から発せられる励起光の波長成分とは異なる波長の蛍光は、周囲に等方的に出射される。そして、出射された蛍光のうちのガラスで成るサンプル台４を透過して対物レンズ１７に入射した成分が、対物レンズ１７で集光され、第２レンズ２２,波長フィルタ２３,第３レンズ２４およびピンホール２５を通過して、検出器２６によって検出される。
【００６２】
ここで、上記励起光カット用の波長フィルタ２３は、光源１８から出射された励起光の波長の光をカットして上記励起光の波長よりも長い波長の光を透過させる。
【００６３】
図４は、上記蛍光測定モード時における励起光および蛍光の集光状態を示す。尚、図４においては、対物レンズ１７を簡略して表現している。上述したように、対物レンズ１７は駆動部２９によって光軸方向に移動されて焦点位置を変更可能になっている。そして、蛍光測定モード時には、図４(b)に示すように、サンプル１６からの蛍光３３がピンホール２５の開口２５aに集光するように、図４(a)に示すごとく対物レンズ１７とサンプル台４との位置関係が設定されている。
【００６４】
したがって、上記励起光３４とは異なる波長の微弱な蛍光３３を、効率良く検出器２６によって検出することができるのである。また、その際に、ピンホール２５に入射されようとする光源１８からの励起光３４の波長と同じ波長の迷光(図示せず)は、波長フィルタ２３によってカットされている。
【００６５】
これに対して、上記反射光測定モード時には、走査モジュール９の光源１８から出射された励起光は、上記蛍光測定モード時の場合と同様にサンプル１６における下面上の一点に集光される。
【００６６】
また、上記サンプル１６における上記励起光が照射された部分から発せられる励起光の波長成分と同じ波長の光(反射光)は、上記蛍光測定モード時の場合と同様にピンホール２５を通過して、検出器２６によって検出される。
【００６７】
図５は、上記反射光測定モード時における励起光および反射光の集光状態を示す。尚、図５においても対物レンズ１７を簡略して表現している。
【００６８】
上記反射光測定モード時には、図５(b)に示すように、サンプル１６からの光(反射光)３５がピンホール２５の開口２５aにおいてビーム径が上記蛍光測定モード時よりも大きく、ピンホール２５を透過することによって光量が減光されるように、図５(a)に示すごとく対物レンズ１７とサンプル台４との位置関係が設定されている。
【００６９】
すなわち、上記反射光測定モード時には、上記駆動部２９によって対物レンズ１７を光軸方向に移動させて、上記蛍光測定モード時の場合よりもサンプル台４に近づけるのである。こうすることによって、サンプル１６の下面は対物レンズ１７の焦点位置からずれるので、サンプル１６の下面で反射された光３５は、対物レンズ１７で集光された際に、図５(b)に示すように、ピンホール２５の開口２５aにおいて上記蛍光測定モード時の場合よりも大きいビーム径の集束光となるのである。
【００７０】
上述したように、上記反射光測定モード時には、主として励起光自体の反射・吸収特性を測定するために、上記蛍光測定モード時に比べて桁違いに強度の強い光が対物レンズ１７によって集光される。そこで、上述したように、この強度が強い光のビーム径を大きくして上記ビームの一部をピンホール２５の開口２５aでカットすることによって、検出器２６での測定に適切な光量に調整するのである。
【００７１】
こうして、上記励起光３４と同じ波長の強度の強い光３５の光量を適切な光量に減光することによって、上記反射光測定モード時の場合にも、検出器２６によって適切な感度および解像度で検出することができるのである。
【００７２】
すなわち、上記反射光測定モード時においては、上記対物レンズ１７,レンズホルダ２７および駆動部２９によって対物レンズ１７の焦点位置をずらして、ピンホール２５の開口２５aにおいてビーム径が上記蛍光測定モード時よりも大きい集束光を形成することによって、検出器２６に入射される光３５の光量をカットするようにしている。つまり、対物レンズ１７,レンズホルダ２７および駆動部２９を減光フィルタとして機能させる。したがって、上記反射光測定モード時には、波長フィルタ２３を必要とはしないのである。そこで、回転フォルダ等に配置された波長フィルタ２３を上記フィルタ切替駆動部によって回転駆動することによって、光軸上には波長フィルタ２３を含めて何もない状態にするのである。
【００７３】
そのため、上記波長フィルタ２３を用いる上記蛍光測定モードは、「フィルタ有り測定モード」と言うことができる。これに対して、上記波長フィルタ２３を用いない上記反射光測定モードは、「フィルタ無し測定モード」と言うことができる。
【００７４】
ところで、上記反射光測定モード時には、上記駆動部２９によって対物レンズ１７を上記蛍光測定モード時の場合よりもサンプル台４に近づけるのであるが、そうすると、光源１８からの励起光３４は、そのスポット径が広がってサンプル１６の下面で集光されなくなる。そこで、駆動部２９によって対物レンズ１７を光軸方向に移動した際には、駆動部３０によってスポットサイズ調整レンズ２０を光軸方向に移動して、図５(a)に示すように光源１８からの励起光３４がサンプル１６の下面に集光されるようにする。こうして、サンプル１６の下面上で常に集光状態を保つことができるのである。
【００７５】
以上のように、本実施の形態によれば、蛍光物質を励起する励起光を出射する光源１８と、光源１８から出射された励起光をサンプル１６に向けて集光すると共に、上記励起光の照射に基づいてサンプル１６から発せられた光を集光する対物レンズ１７と、対物レンズ１７を光軸方向に移動させて対物レンズ１７とサンプル１６との間の距離を設定する駆動部２９とを備えている。そして、対物レンズ１７によって集光された光のうちの予め設定された特定の波長の光を遮断する波長フィルタ２３を、上記フィルタ切替駆動部によって回転駆動して、波長フィルタ２３が対物レンズ１７の光軸上に無い状態と有る状態とに切り替え設定する。
【００７６】
さらに、上記対物レンズ１７によって集光された光を検出する検出器２６と波長フィルタ２３との間に、対物レンズ１７の光軸上に開口２５aを有するピンホール２５を配置して、検出器２６は、ピンホール２５の開口２５aを通過した光を検出するようにする。さらに、駆動部２９および上記フィルタ切替駆動部の動作を制御するＰＣ５を備えている。
【００７７】
そうして、上記ＰＣ５は、
上記励起光の照射に基づいてサンプル１６から発せられた上記励起光とは異なる波長の蛍光を検出器２６によって検出する蛍光測定モード時には、駆動部２９を制御して、対物レンズ１７とサンプル１６との間の距離をサンプル１６からの蛍光がピンホール２５の開口２５aに集光する距離に設定すると共に、上記フィルタ切替駆動部を制御して、波長フィルタ２３が対物レンズ１７の光軸上に有る状態に設定する。
【００７８】
一方、上記励起光の照射に基づいてサンプル１６から発せられた上記励起光と同じ波長の光(反射光)を検出器２６によって検出する反射光測定モード時には、駆動部２９を制御して、対物レンズ１７とサンプル１６との間の距離をサンプル１６からの光がピンホール２５の開口２５aに上記蛍光測定モード時よりも大きな径で集光する距離に設定すると共に、上記フィルタ切替駆動部を制御して、波長フィルタ２３が対物レンズ１７の光軸上に無い状態に設定するようにしている。
【００７９】
したがって、上記蛍光測定モード時には、サンプル１６から発せられる光源１８からの励起光とは異なる波長の蛍光をピンホール２５の開口２５aに集光することができ、対物レンズ１７で集光される蛍光の総てがピンホール２５の開口２５aを通過するようにできる。こうして、光源１８からの励起光とは異なる波長の微弱な蛍光の検出強度が最大になるようにして、検出器２６によって効率よく検出することができる。
【００８０】
また、上記反射光測定モード時には、サンプル１６から発せられる上記励起光と同じ波長の光をピンホール２５の開口２５aに上記蛍光測定モード時よりも大きな径で集光することができ、対物レンズ１７で集光される光の一部をピンホール２５の開口２５aでカットするようにできる。こうして、光源１８からの励起光と同じ波長の光であって上記蛍光測定モード時に比較して非常に強い光の検出強度が適切な光量になるようにして、検出器２６によって適切な感度および解像度で検出することができるのである。
【００８１】
さらに、上記波長フィルタ２３が遮断する上記特定の波長の光を、光源１８からの励起光の波長と同じ波長の光とすることによって、上記蛍光測定モード時において、波長フィルタ２３が対物レンズ１７の光軸上に有る状態に設定して、光源１８からの励起光の波長と同じ波長の迷光をカットすることができる。したがって、検出器２６によってさらに効率よく蛍光を検出することができるのである。
【００８２】
さらに、上記対物レンズ１７は、上記蛍光測定モード時に、駆動部２９によって、対物レンズ１７とサンプル１６との間の距離が、サンプル１６からの蛍光が上記遮光部材の開口に集光する距離に設定された場合には、光源１８からの上記励起光がサンプル１６の下面に集光される。一方、上記反射光測定モード時に、駆動部２９によって、対物レンズ１７とサンプル１６との間の距離が、サンプル１６からの光が上記遮光部材の開口に上記蛍光測定モード時よりも大きい径で集光する距離に設定された場合には、光源１８からの上記励起光がサンプル１６の下面よりも上方に集光されるようになっている。
【００８３】
したがって、上記蛍光測定モード時には、光源１８からの上記励起光がサンプル１６の下面に集光されるので、上記励起光の照射に基づいてサンプル１６から発せられる蛍光の検出精度を高めることができる。
【００８４】
また、上記反射光測定モード時には、上記光源からの上記励起光がサンプル１６の下面よりも上方に集光されるので、対物レンズ１７の焦点位置がサンプル１６の下面からずれて、サンプル１６からの光がピンホール２５の開口２５aに上記蛍光測定モード時よりも大きい径で集光することが可能になる。
【００８５】
さらに、上記対物レンズ１７は、屈折によって光を集光する中央部分と、この中央部分の周辺に位置して全反射によって光を集光する周辺部分とを含んで構成されており、上記中央部分の少なくとも光軸を含む一部は光源１８からの照射光を透過させる照射光透過部となっている。したがって、通常の凸レンズでは集光できないような大きな放射角度の光をも集めることができ、集光光率を高めて上記検出光学系による感度アップを図ることができる。
【００８６】
このように、上記サンプル１６から広い出射角度で放射状に出射された微弱な光を効率よく検出するために、サンプル１６の近くに位置する対物レンズ１７によって上記放射状に出射された光を集光し、上記検出光学系で検出するようにしている。ところで、上記構成の場合には、対物レンズ１７とサンプル１６との距離が適切な値から少しずれただけで焦点位置が大きく変化する特徴がある。したがって、この特徴を用いれば、対物レンズ１７とサンプル１６との距離を制御することによってサンプル１６からの光をピンホール２５の開口２５aよりも大きい径で集光して、入射光量を制御することが可能になるのである。
【００８７】
さらに、上記光源１８と対物レンズ１７との間に、光源１８からの励起光のスポットサイズを調整するためのスポットサイズ調整レンズ２０を配置し、駆動部３０によってスポットサイズ調整レンズ２０を光軸方向に移動させて上記スポットサイズを調整し、上記スポットサイズが調整された励起光が対物レンズ１７における光軸近傍の一部を透過してサンプル１６に向けて集光されるようにしている。
【００８８】
そして、上記ＰＣ５は、上記反射光測定モード時には、駆動部３０を制御して、スポットサイズ調整レンズ２０と光源１８との間の距離を、光源１８からの上記励起光がサンプル１６の下面に集光されるように設定するようにしている。
【００８９】
したがって、上記反射光測定モード時には、上記スポットサイズ調整レンズ２０と光源１８との間の距離を、光源１８からの上記励起光がサンプル１６の下面に集光するように設定することができ、上記励起光の照射に基づいてサンプル１６から発せられる光の検出精度を高めることができるのである。
【００９０】
尚、本実施の形態においては、上記ＰＣ５は、駆動部２９を制御して、上記反射光測定モード時において、対物レンズ１７とサンプル１６との間の距離を、対物レンズ１７によって集光される光のビーム径がピンホール２５の開口２５aよりも大きなるように設定するようにしている。その場合に、ＰＣ５は、予め設定されてＰＣ５の上記内部メモリ等に格納されている複数の距離から選択して設定するようにすることも可能である。
【００９１】
例えば、上記複数の距離を、予め「検出器２６への入射光量が最大値(ピンホール２５の開口２５aに集光した場合の入射光量)の２０％となる距離」,「上記最大値の１０％となる距離」,「上記最大値の５％となる距離」のごとく設定して格納しておけば、検出器２６への入射光量が最適となる対物レンズ１７とサンプル１６との間の距離を、簡単に設定することが可能になる。
【００９２】
そうした場合には、上記サンプル１６によって異なる最適入射光量に対応することができ、より適切に上記サンプル１６からの光を測定することができるのである。
【符号の説明】
【００９３】
１…光検出装置、
４…サンプル台、
５…ＰＣ、
６…走査ステージ、
９…走査モジュール、
１６…サンプル、
１７…対物レンズ、
１８…光源、
１９…第１レンズ、
２０…スポットサイズ調整レンズ、
２１…プリズム、
２２…第２レンズ、
２３…波長フィルタ、
２４…第３レンズ、
２５…ピンホール、
２５a…ピンホールの開口、
２６…検出器、
２７,２８…レンズホルダ、
２９,３０…駆動部、
３１…凸レンズ部、
３２…筒状体、
３３…蛍光、
３４…励起光、
３５…光(反射光)。
【図１】
2014071059.tif 000003
【図２】
2014071059.tif 000004
【図３】
2014071059.tif 000005
【図４】
2014071059.tif 000006
【図５】
2014071059.tif 000007